(57)【特許請求の範囲】
【請求項１】
第１ゴミ吸込口を有する親型クリーナにゴミ吸込口を独自に有する子型クリーナを着脱自在に設けた親子型クリーナであって、
前記子型クリーナの電源部に、前記親型クリーナの電源部を介して充電される二次電池を備え、前記親型クリーナに設けられた第２ゴミ吸込口は、前記子型クリーナを前記親型クリーナに装着したときに、前記子型クリーナに設けられたゴミ排出口と嵌合状態に配されるとともに、前記第２ゴミ吸込口及びゴミ排出口に開閉弁をそれぞれ設け、前記第２ゴミ吸込口及びゴミ排出口の各開閉弁は、前記親型クリーナに前記子型クリーナが装着された状態において前記親型クリーナの駆動モータが駆動され前記第１ゴミ吸込口を介してゴミを吸い込んでいるときに、一定時間の間開口されることを特徴とする親子型クリーナ。
【請求項２】
第１ゴミ吸込口を有する親型クリーナにゴミ吸込口を独自に有する子型クリーナを着脱自在に設けた親子型クリーナであって、
前記子型クリーナの電源部に、前記親型クリーナの電源部を介して充電される二次電池を備え、前記親型クリーナに設けられた第３ゴミ吸込口は、前記子型クリーナを前記親型クリーナに装着したときに、前記子型クリーナのゴミ吸込口と嵌合状態に配されるとともに、前記第３ゴミ吸込口に開閉弁を設け、該開閉弁は、前記親型クリーナに前記子型クリーナが装着された状態において前記親型クリーナの駆動モータが駆動され前記第１ゴミ吸込口を介してゴミを吸い込んでいるときに、一定時間の間開口されることを特徴とする親子型クリーナ。
【請求項３】
前記子型クリーナのゴミ吸込口に遮断弁を設けてなることを特徴とする請求項１記載の親子型クリーナ。
【発明の詳細な説明】
【０００１】
【発明の属する技術分野】
本発明は、家庭で使用される掃除機に携帯用クリーナを着脱可能に設けた親子型クリーナに関する。
【０００２】
【従来の技術】
従来から、家庭で部屋の畳や床面の清掃の際に使用される掃除機（親型クリーナ）と家具や衣服の清掃の際に使用される携帯用のクリーナ（子型クリーナ）とがあり、これらはそれぞれ独立の清掃具として商品化され、それぞれの使用するところに応じて使い分けられている。
即ち、上記掃除機は、駆動電源としては１００Ｖの商用電源を用い、移動車輪を備えた掃除機本体を畳や床面上に這わしながらこれらの広い空間を清掃するために使用されるものであり、また、上記携帯用クリーナは、その本体内に駆動電源としての蓄電池や乾電池を有し、掃除機よりずっと小型でその本体を手に持って家具や衣服、或いは戸や障子の桟、壁と家具等との狭い隙間を清掃するために使用されるものである。
【０００３】
【発明が解決しようとする課題】
このように、掃除機と携帯用クリーナとは使用するところが異なる上、それぞれ独立の清掃具として構成されているため、清掃の際に予め両者を収納場所から一度に持ち出すというようなことはせずに、例えば、最初掃除機を持ち出して畳や床面を清掃した後、携帯用クリーナを持ち出して戸や障子の桟を清掃したり、或いは、清掃の中途で携帯用クリーナでなければ清掃できないところに出会したりすると、携帯用クリーナを持ち出して清掃したりすることがしばしばある。また、場合によっては、掃除機と携帯用クリーナとの保管場所が異なるためにそこから一度に持ち出すことが物理的に困難であったりすることがあり、掃除機と携帯用クリーナとが独立の清掃具であるが故の使い勝手の悪さというものがあった。
更にまた、両者はそれぞれ独立の清掃具であるので、それぞれに対しメインテナンスや保守、点検等の管理をする必要があり、とりわけ、携帯用クリーナにおいては、蓄電池の充電状態や乾電池の寿命、或いは、吸い込んだゴミの収容能力が小さいために、ゴミの溜まり具合を確認し、溜まっているゴミの廃棄に留意しなければならないという煩わしさがあった。
【０００４】
本発明の目的は、親型クリーナに子型クリーナを着脱可能に設けて清掃具の使い勝手を向上させた親子型クリーナを提供することにある。
また、本発明の目的は、親型クリーナに子型クリーナを着脱可能に設け、子型クリーナに対するメインテナンス等の煩わしさを解消させた親子型クリーナを提供することにある。
【０００５】
【課題を解決するための手段】
上記課題を解決するために、本発明の親子型クリーナは、第１ゴミ吸込口を有する親型クリーナにゴミ吸込口を独自に有する子型クリーナを着脱自在に設けた親子型クリーナであって、子型クリーナの電源部に、前記親型クリーナの電源部を介して充電される二次電池を備え、前記親型クリーナに設けられた第２ゴミ吸込口は、前記子型クリーナを前記親型クリーナに装着したときに、前記子型クリーナに設けられたゴミ排出口と嵌合状態に配されるとともに、前記第２ゴミ吸込口及びゴミ排出口に開閉弁をそれぞれ設け、前記第２ゴミ吸込口及びゴミ排出口の各開閉弁は、前記親型クリーナに前記子型クリーナが装着された状態において前記親型クリーナの駆動モータが駆動され前記第１ゴミ吸込口を介してゴミを吸い込んでいるときに、一定時間の間開口されることを特徴とするものである。  したがって、本親子型クリーナは、親型クリーナと子型クリーナとの両者を一体化させることにより、親型クリーナの持ち出しや保管に従って子型クリーナを持ち出したり保管したりすることができ、しかも、子型クリーナを着脱自在に設け、子型クリーナも独立した清掃具とすることにより、従来通りその使用されるところに応じて両者の使い分けができるので、使い勝手が向上した清掃具となる。
その上、子型クリーナの電源部にアルカリ蓄電池等の二次電池を設け、例えば、商用電源から親型クリーナの電源部に電力が供給されたとき、或いはこの電源部に電力が供給されて親型クリーナを駆動する操作スイッチが閉成されたときに、子型クリーナの二次電池が自動的に充電されるものであり、子型クリーナを親型クリーナから取り外して使用するときは、子型クリーナの電源部の充電状態に留意することなく、子型クリーナは常に使用できる状態になっている。但し、過充電を避けるために、例えば一定電圧まで上昇したら充電を停止するとか、或いは微弱又は間欠的な一定電流で充電するトリクル充電方式を採用するとかするのが好ましい。
ところで、複数台の子型クリーナを親型クリーナに着脱可能に設け、その子型クリーナのそれぞれに専用の機能を持たせて、それぞれを機能に応じて使い分けるようにしても良い。
【０００６】
また、本発明の親子型クリーナは、子型クリーナが親型クリーナに装着されている場合に 、商用電源から親型クリーナの電源部に電力が供給されたとき、或いはこの電源部に電力が供給されて親型クリーナを駆動する操作スイッチが閉成されたときに、上記吸込口及び排出口に設けられた開閉弁が作動してこれらの吸込口及び排出口をそれぞれ開口させるので、子型クリーナのゴミ収容箱に溜まっているゴミが親型クリーナのゴミ収容箱に移送され、その結果、子型クリーナのゴミ収容箱は常に空の状態にあり、従って、子型クリーナのゴミの溜まり具合を気にする必要がない。
これらの開閉弁を作動させる方法には各種のやり方があるが、リレーやソレノイドによって作動させるのが一般的であり、また、これらの開閉弁は、少なくとも子型クリーナが親型クリーナから取り外されているときには、閉口状態になっている必要があることはもちろんである。
【０００７】
また、本発明の親子型クリーナは、第１ゴミ吸込口を有する親型クリーナにゴミ吸込口を独自に有する子型クリーナを着脱自在に設けた親子型クリーナであって、前記子型クリーナの電源部に、前記親型クリーナの電源部を介して充電される二次電池を備え、前記親型クリーナに設けられた第３ゴミ吸込口は、前記子型クリーナを前記親型クリーナに装着したときに、前記子型クリーナのゴミ吸込口と嵌合状態に配されるとともに、前記第３ゴミ吸込口に開閉弁を設け、該開閉弁は、前記親型クリーナに前記子型クリーナが装着された状態において前記親型クリーナの駆動モータが駆動され前記第１ゴミ吸込口を介してゴミを吸い込んでいるときに、一定時間の間開口されることを特徴とするものである。    したがって、例えば、子型クリーナが親型クリーナに装着されている場合に、商用電源から親型クリーナの電源部に電力が供給されたとき、或いはこの電源部に電力が供給されて親型クリーナを駆動する操作スイッチが閉成されたときに、第３ゴミ吸込口の開閉弁が作動してこの吸込口を開口させるので、子型クリーナのゴミ収容箱に溜まっているゴミが親型クリーナのゴミ収容箱に移送される。
本親子型クリーナは、子型クリーナに上述のようなゴミ排出口を設けることなくゴミ吸込口をゴミの排出口と兼用し、このゴミ吸込口を第３ゴミ吸込口と嵌合状態にし、第３ゴミ吸込口にのみ開閉弁を設けるようにしたもので、より簡易な構成でその構成部材数も削減できる。
【０００９】
また、本発明の親子型クリーナは、子型クリーナのゴミ吸込口に遮断弁を設け、子型クリーナが親型クリーナに装着されているときには、この遮断弁が閉口状態にされてなるものである。
少なくとも子型クリーナが親型クリーナに装着されているときは、子型クリーナは清掃具として使用されていない状態であり、したがって、そのゴミ吸込口を遮断弁によって遮断しておけば、子型クリーナのゴミ収容箱に溜まっているゴミが、親型クリーナを使用している場合などに、ゴミ吸込口から外部に放出されるのを阻止できる。
この遮断弁を閉口させる方法はいくつか考えられ、子型クリーナが親型クリーナに装着されている場合に、例えば、商用電源から親型クリーナの電源部に電力が供給されたとき、或いはこの電源部に電力が供給されて親型クリーナを駆動する操作スイッチが閉成されたときなどが考えられる。
しかるに、上述のような電気信号に基づき遮断弁を作動させる方法に限らず、子型クリーナを使用するために親型クリーナから取り外し、このゴミ吸込口に吸引ホース等を差し込んだときに機械的に開口させ、それ以外は閉口させるようにしたものであってもよい。むしろこの方が故障が少なく、省電力化の観点からも好ましい。
【００１０】
【発明の実施の形態】
本発明の実施の形態に係る親子型クリーナ１の一実施例を図１〜９を参照して説明する。
本親子型クリーナ１は、図１に示すように、家庭で使用される掃除機（親型クリーナ）２と携帯用クリーナ（子型クリーナ）３とを一体化させてなるものであると同時に、クリーナ３が、掃除機２の、傾斜面を形成するその上面２ａに着脱可能なように載置されてなるものであり、したがって、掃除機２には第１ゴミ吸込口４が、また、クリーナ３にはゴミ吸込口５がそれぞれ独立して設けられ、畳や床面などの広い空間を清掃する場合には、第１ゴミ吸込口４に図示しない吸引ホース等を差し込み移動車輪６を畳や床面上に這わしながら清掃することができ、また、戸や障子の桟を清掃する場合には、クリーナ３を掃除機２から取り外すとともに、ゴミ吸込口５に図示しない吸引ホース等を差し込み、クリーナ３の上面に設けられた把持部７を手に持って清掃することができる。
【００１１】
ところで、図２に示すように、掃除機２の上面２ａの前部には、携帯用クリーナ３を掃除機２に着脱可能にするための係止機構８と、この係止機構８の近傍にクリーナ３の下記プラグ１６（図４）を挿入するコンセント９と、このコンセント９の近傍にクリーナ３の下記ゴミ排出口１７（同図）と嵌合する第２ゴミ吸込口１０とが設けられ、また、その後部には、上記係止機構８と協働してクリーナ３を掃除機２に着脱可能にするためのフック１１が植設され、このフック１１の爪部は、着脱容易にするためにテーパ形状をなしている。そして、第２ゴミ吸込口１０のまわりには、ゴミ排出口１７と嵌合したときに密封状態を向上させるためのゴムパッキン１０ａが装着されている。
上記係止機構８は、図３に示すような簡便な機構をなすもので、上面２ａの前部に切欠き１２を設け、この切欠き１２に横架されるシャフト１３と、このシャフト１３に揺動自在に軸着されたフック１４と、シャフト１３に巻回され、且つフック１４を同図のＡ方向に付勢させるスプリング１５とから構成されている。そして、フック１４の爪部は、着脱容易にするためにテーパ形状をなし、また、その下端には、着脱をする際にスプリング１５の付勢力に抗して同図のＢ方向に押圧力を作用させるための指当て部１４ａが設けられている。
【００１２】
一方、図４に示すように、携帯用クリーナ３の下面、即ち、掃除機２の上面２ａと対向する面には、上記コンセント９に挿入されるプラグ１６と、このプラグ１６の近傍に上記第２ゴミ吸込口１０と嵌合するゴミ排出口１７とが設けられており、後述するように、クリーナ３の蓄電池３０（図５）はコンセント９及びプラグ１６を介して掃除機２の電源部２４（同図）から給電されるようになり、また、第２ゴミ吸込口１０及びゴミ排出口１７を介してゴミ収容箱２０と２６（同図）とが連通されるようになる。
更に、クリーナ３の前端面及び後端面には、スリット１８及び１９が穿設されており、上記フック１４及び１１の爪部が、クリーナ３を掃除機２に装着した際に、スリット１８及び１９にそれぞれ係止される。
【００１３】
本親子型クリーナ１は、上述のように、掃除機２と携帯用クリーナ３との機能を兼ね備えたものであり、したがって、それらの内部構造は、図５に示すような構造をなしている。
即ち、掃除機２の内部には、その前面に上記第１ゴミ吸込口４が設けられ、この吸込口４に連通する紙パック等を収容したゴミ収容箱２０と、ゴミ収容箱２０の後方にこのゴミ収容箱２０にゴミを吸引するためのファン２１と、ゴミ収容箱２０とファン２１と間に配されたクリーンフィルタ２２と、ファン２１を駆動する駆動モータ２３及びこのモータ２３に電力を供給する電源部２４とが設けられ、この電源部２４は電源コード２５を介して商用電源に接続される。
また、クリーナ３の内部には、その前面に上記ゴミ吸込口５が設けられ、この吸込口５に連通するゴミ収容箱２６と、ゴミ収容箱２６の後方にこのゴミ収容箱２６にゴミを吸引するためのファン２７と、ゴミ収容箱２６とファン２７と間に配されたクリーンフィルタ２８と、ファン２７を駆動する駆動モータ２９と、このモータ２９に電力を供給する電源部としての蓄電池３０とが設けられ、掃除機２及びクリーナ３の最後面には、ファン２１及び２７のための排気口３１及び３２がそれぞれ設けられている。
【００１４】
更に、本親子型クリーナ１は、掃除機２と携帯用クリーナ３との機能を兼ね備えたものであると同時に、これらを一体化させてなるものであるが故の構造上の特徴を有する。
即ち、クリーナ３の蓄電池３０は、上述のようにコンセント９及びプラグ１６を介して掃除機２の電源部２４に接続されており、下記操作スイッチ４３（図９）が閉成されたときに自動的に充電されるようになっており、また、図５に示すように、第１ゴミ吸込口４とゴミ収容箱２０とを連結する導管４ａの中途から分岐するパイプ３３ａが上方に伸延して上記第２ゴミ吸込口１０に達するとともに、ゴミ収容箱２６の側壁から立設されたパイプ３３ｂが下方に伸延して上記ゴミ排出口１７に達し、第２ゴミ吸込口１０とゴミ排出口１７とが上述のように嵌合する状態に配されている。
そして、この第２ゴミ吸込口１０及びゴミ排出口１７には、図６，７に示すように、操作スイッチ４３が閉成されたときに作動する開閉弁３４，３７が設けられている。
【００１５】
上記開閉弁３４は、図６に示すように、第２ゴミ吸込口１０の近傍に設けられ、通常は閉口状態を維持しているが、携帯クリーナ３が掃除機２に装着され、この電源部２４に電力が供給されて掃除機２を駆動する操作スイッチ４３が閉成されたとき、電源部２４からの通電で作動するソレノイド３５により、ガイド３６に案内されて開動作する。
一方、上記開閉弁３７は、図７に示すように、ゴミ排出口１７の近傍に設けられ、通常は閉口状態を維持しているが、クリーナ３が掃除機２に装着され、この電源部２４に電力が供給されて掃除機２を駆動する操作スイッチ４３が閉成されたとき、電源部２４からの通電で作動するソレノイド３８により、ガイド３９に案内されて開動作する。
開閉弁３４及び３７は、上述のように、操作スイッチ４３が閉成されときに開動作するが、操作スイッチ４３の閉成から１０〜２０秒経過後に、これらの開閉弁が閉口状態にされるようになっている。
【００１６】
更に、携帯クリーナ３のゴミ吸込口５には、図８に示すように、遮断弁４０が設けられ、この遮断弁４０は、戸や障子の桟を清掃するためにクリーナ３を使用するときには開口状態であるが、クリーナ３が掃除機２に装着され、上記電源部２４に電力が供給されて掃除機２を駆動する操作スイッチ４３が閉成されたときには、電源部２４からの通電で作動するソレノイド４１により、ガイド４２に案内されて閉動作する。
【００１７】
次に、本実施例に係る親子型クリーナ１の動作説明を図９を参照しつつ行う。畳や床面を清掃する場合には、携帯クリーナ３を掃除機２に装着させたまま、操作スイッチ４３を閉成すると、駆動モータ２３が駆動されるので掃除機２で畳や床面を清掃することができる。そして、操作スイッチ４３の閉成により、掃除機２のソレノイド３５が作動して開閉弁３４を開口させるとともに、クリーナ３では、コンセント９及びプラグ１６を介して通電されるソレノイド３８及び４１が作動して開閉弁３７を開口させ、遮断弁４０を閉口させる。但し、操作スイッチ４３を閉成してから１０〜２０秒経過後に、開閉弁３４及び３７は閉口状態にされる。
したがって、操作スイッチ４３を閉成すると直ちに、クリーナ３のゴミ収容箱２６に溜まっているゴミが掃除機３のゴミ収容箱２０に移送され、そして、畳や床面を清掃している間に、コンセント９及びプラグ１６を介してクリーナ３の蓄電池３０が自動的に充電される。
尚、コンセント９の端子ａ１，ｂ１，ｃ１は、携帯クリーナ３を掃除機２に装着すると、プラグ１６の端子ａ２，ｂ２，ｃ２にそれぞれ接続される。
また、戸や障子の桟を清掃する場合には、図３において、指当て部１４をＢ方向に押圧すると、フック１４とスリット１８との係止が解かれ、更に、クリーナ３を上方に持ち上げると、フック１１とスリット１９との係止が解かれるので、クリーナ３を掃除機２から簡単に取り外すことができ、取り外した後、クリーナ３の操作スイッチ４４を閉成すると、蓄電池３０から供給される電力により駆動モータ２９が駆動されるので、戸や障子の桟を清掃することができる。
ところで、操作スイッチ４４は、クリーナ３が掃除機２に装着されているときには、閉成されても作動しないようにするのが好ましい。
また、上記ゴミ収容箱２６内にフィルターを設けている場合には、クリーナ３のゴミを掃除機３に移送させる際に、掃除機３によってゴミと一緒にフィルターも吸引されてしまうので、これを防止するためにフィルター押さえを設けておくことが好ましい。
【００１８】
本実施の形態に係る親子型クリーナ１の構造を変更して、図１０に示すような親子型クリーナ５０の構造をなすものとしてもよい。
尚、図１０において、図１〜９の構成要素と同一部材には同一の符号を付し、その説明は割愛する。
この親子型クリーナ５０と上記親子型クリーナ１との異なるところは、親子型クリーナ１の、掃除機２のゴミ収容箱２０と携帯用クリーナ３のゴミ収容箱２６との連通のしかたを変更した点である。
即ち、掃除機５１に携帯用クリーナ５２を着脱可能にした親子型クリーナ５０は、掃除機２の第２ゴミ吸込口１０とクリーナ３のゴミ排出口１７とをパイプ３３ａ及び３３ｂを介して嵌合させるのではなく、図１０に示すように、クリーナを掃除機２に装着したときに、導管４ａの中途から分岐するパイプ５３を上方に伸延してクリーナ５２のゴミ吸込口５に対向する位置で湾曲させ、その端部に第３ゴミ吸込口５４を設け、この第３ゴミ吸込口５４とゴミ吸込口５とを嵌合状態に配し、第３ゴミ吸込口５４にのみ開閉弁５５を設けた構造とするものである。そして、上記開閉弁５５は、第３ゴミ吸込口５４の近傍に設けられ、通常は閉口状態を維持しているが、クリーナ５２が掃除機５１に装着され、この電源部２４に電力が供給されて掃除機５１を駆動する操作スイッチ４３が閉成されたとき、電源部２４からの通電で作動するソレノイド（図示せず）により開動作する。但し、操作スイッチ４３を閉成してから１０〜２０秒経過後に、開閉弁５５は閉口状態にされる。
ところで、クリーナ５２のゴミ吸込口５には、図８に示すような遮断弁４０は、敢えて設けるには及ばない。けだし、ゴミ吸込口５は、クリーナ５２の使用の際には吸引ホース等を差し込むところであり、また、第３ゴミ吸込口５４と嵌合しているときには、第３ゴミ吸込口５４の開閉弁５５が開閉して、この開閉弁５５が遮断弁４０の機能を果たすことになるからである。
親子型クリーナ５０の動作は、上述した親子型クリーナ１と同様であり、操作スイッチ４３を閉成すると直ちに、クリーナ５２のゴミ収容箱２６に溜まっているゴミが掃除機５１のゴミ収容箱２０に移送され、そして、畳や床面を清掃している間に、クリーナ５２の蓄電池３０は自動的に充電される。また、戸や障子の桟を清掃する場合も同様に、クリーナ５２を掃除機５１から簡単に取り外すことができ、取り外した後、クリーナ５２の操作スイッチ４４を閉成すると、蓄電池３０から供給される電力により駆動モータ２９が駆動されるので、戸や障子の桟を清掃することができる。
尚、クリーナ５２を掃除機５１に着脱可能にするための係止機構８及びこの係止機構８と係合するスリット１８に相当するものは、適宜なところに設けられていることはもちろんである。
【００１９】
【発明の効果】
本発明の親子型クリーナによれば、親型クリーナに子型クリーナを着脱可能に設けて、清掃具の使い勝手を向上させることができる。
また、本発明の親子型クリーナによれば、親型クリーナに子型クリーナを着脱可能に設けて、子型クリーナに対するメインテナンス等の煩わしさを解消させることができる。
【図面の簡単な説明】
【図１】  本発明の第１実施例に係る親子型クリーナの外観斜視図である。
【図２】  図１の掃除機の外観斜視図である。
【図３】  図１の掃除機における係止機構の詳細斜視図である。
【図４】  図１の携帯用クリーナの外観斜視図である。
【図５】  図１の親子型クリーナの内部構造図である。
【図６】  図１の掃除機の正面図及びそのＣ矢視図である。
【図７】  図１の携帯用クリーナの正面図及びそのＤ矢視図である。
【図８】  図１の携帯用クリーナにおける遮断弁の説明図である。
【図９】  図１の親子型クリーナの制御回路図である。
【図１０】  図１の親子型クリーナの構造を変更してなる親子型クリーナの内部構造図である。
【符号の説明】
１，５０          親子型クリーナ
２，５１          掃除機（親型クリーナ）
３，５２          携帯用クリーナ（子型クリーナ）
４                第１ゴミ吸入口
５                ゴミ吸入口
１０              第２ゴミ吸込口
１７              ゴミ排出口
２４              電源部
３０              蓄電池
３４，３７，５５  開閉弁
４０              遮断弁
５４              第３ゴミ吸込口
【図１】
0003889832.tif 000002
【図２】
0003889832.tif 000003
【図３】
0003889832.tif 000004
【図４】
0003889832.tif 000005
0003889832.tif 000006
【図５】
0003889832.tif 000007
【図６】
0003889832.tif 000008
0003889832.tif 000009
【図７】
0003889832.tif 000010
0003889832.tif 000011
【図８】
0003889832.tif 000012
【図９】
0003889832.tif 000013
【図１０】
0003889832.tif 000014